【事件の表示】
　平成　５年特許願第２３９０７９号「レンズ位置制御装置」拒絶査定に対する審判事件［平成　７年　３月１７日出願公開、特開平　７−　７２３７３］について、次のとおり審決する。
【結　論】
　本件審判の請求は、成り立たない。
【理　由】
１．手続の経緯・本願発明　
　本願は、平成５年８月３１日の出願であって、その請求項１に係る発明は、平成１４年５月２４日付けの手続補正書で補正された明細書及び図面の記載からみて、その特許請求の範囲の請求項１に記載された次のとおりのものと認める。（以下、「本願発明」という。）「手動焦点調節部材を有し、モータ駆動によりレンズを駆動して焦点調節を行うカメラにおいて、前記手動焦点調節部材の操作に対し可変抵抗の抵抗値が変動し、その出力をＡ／Ｄ入力に電圧入力することにより操作量を検出する距離設定手段と、前記モータの駆動に伴い第１および第２のパルスを出力し、前記第１の出力パルスは第２の出力パルスに対し、前記モータの駆動方向の正転または逆転によってそれぞれ＋９０°または−９０°の位相差を有する２組のパルス出力手段と、焦点調節レンズの無限端または至近端の位置を示す初期位置検出手段と、前記初期位置検出手段で示される無限端または至近端の位置からカウントを開始し、前記２相パルス出力手段が出力する第１のパルスがハイレベルからローレベルに変化したとき、前記第２のパルスがローレベルであるか、第１のパルスがローレベルからハイレベルに変化したとき、第２のパルスがハイレベルである場合、カウントアップし、前記第１のパルスがハイレベルからローレベルに変化したとき、前記第２のパルスがハイレベルであるか、第１パルスがローレベルからハイレベルに変化したとき、第２パルスがローレベルである場合、カウントダウンし、前記カウントアップダウンの値によりレンズ位置を検出し、レンズ駆動を制御する制御手段とからなり、手動焦点調節の際、前記手動焦点調節部材の動きにレンズ動作を追従させることにより手動焦点調節部材操作時にレンズの移動を行い、メインスイッチオンの間はレンズを初期位置に戻すことなくレンズ位置を制御することを特徴とするレンズ位置制御装置。」
　
２．引用例　
　これに対して、当審での拒絶の理由に引用された、本願出願前日本国内において頒布された刊行物である、特開平２−１３１２０８号公報（以下、「引用例１」という。）には、次の事項が記載されている。
「この発明は撮影レンズの焦点調節や画角調節をモータの駆動力によって行なうパワーフォーカス装置やパワーズ−ム装置において、レンズ鏡筒を光軸方向に電動駆動するレンズ駆動装置に関する。」（第１頁左下欄第１７〜２０行）
「第１図にこの発明によるレンズ駆動装置の概念図を示す。撮影者が手動操作部材１を操作すると、信号発生手段２はその操作（操作量、操作方向）に応じた信号を出力する。これを受けて指示手段３は少なくともレンズ６の駆動方向を指示する。駆動手段４は指示手段３からの指示に従ってモータ５を回転させレンズ６を光軸方向に駆動する。」（第２頁右上欄第９〜１５行）
「実施例としては、撮影レンズの距離環を手動で回して焦点調節を行なう従来のマニュアルフォーカスに代わるパワーフォーカス装置を説明する。パワーフォーカス装置はオートフォーカス機能を持ったカメラや交換レンズに補助手段として適用してもよいが、ここではオートフォーカス機能を持たないマニュアルフォーカスカメラに適用した場合について説明する。第２図は第１実施例のパワーフォーカス装置の全体を示すブロック図である。カメラボディ上、または交換レンズの一部に回転操作部材９が設けられる。手動操作による回転操作部材９の回転に伴って、パルス発生手段１０から第３図に示すような互いに位相の異なった２相のパルス信号ＰＦａ，ＰＦｂが発生される。この２相のパルスは操作方向検出手段１１と操作量検出手段１２に入力される。操作方向検出手段１１は２相パルスの位相の関係から回転操作部材９の操作方向を検出する。操作量検出手段１２はパルス信号ＰＦａを２進倍したパルスを発生し、操作量情報として出力する。一方、撮影レンズ１７を光軸に沿って移動させるレンズ駆動用モータ１５の回転に伴って、レンズ移動パルス発生手段１６からパルスが発生され、フィードバック情報として駆動速度設定手段１３に供給される。操作量検出手段１２からの操作量情報も駆動速度設定手段１３に入力される。駆動速度設定手段１３は、入力された２つのパルスを同一のパルスカウンタでカウントする。操作量情報パルスはカウントアップされ、フィードバック情報パルスはカウントダウンされる。このため、パルスカウンタの値が０になった時にレンズ駆動用モータ１５を停止させれば、回転操作部材９の操作量に対応した量だけモータ１５を駆動させたことになる。」（第２頁左下欄第６行〜右下欄第２０行）
　上記記載事項から、引用例１には「手動操作部材（回転操作部材９）を有し、レンズ駆動用モータによりレンズを駆動して焦点調節を行うカメラにおいて、手動操作部材（回転操作部材９）の操作量に応じたパルス信号が入力される操作量検出手段と、レンズ駆動用モータの回転に伴ってパルスが発生されるレンズ移動パルス発生手段と、操作量検出手段から発生された操作量情報パルスはカウントアップされ、レンズ移動パルス発生手段から発生されたフィードバック情報パルスはカウントダウンする駆動速度設定手段とからなり、パルスカウンタの値が０になった時にレンズ駆動用モータを停止させること」が記載されていると認められる。
　
　また、当審での拒絶の理由に引用された、本願出願前日本国内において頒布された刊行物である、特開平４−２８７００８号公報（以下、「引用例２」という。）には、次の事項が記載されている。
「レンズ鏡筒の繰り出し、繰り込み駆動を行うモータの回転軸と一体に回転する円板状の回転部材と、この回転部材の周方向に単数個または所定間隔をおいて複数個設けられ、検出信号を生成する信号生成部と、非接触状態で検出信号を検出する検出手段とを備えたレンズ鏡筒の駆動制御装置において、前記検出手段は複数設けられ、これら検出手段は、前記信号生成部からの検出信号を検出するタイミングが互に１位相以下だけ異なるように配置され、これら検出手段による検出信号の検出タイミングのずれに基づいてレンズ鏡筒の駆動方向を検出する方向検出手段が設けられていることを特徴とするレンズ鏡筒の駆動制御装置。」（【特許請求の範囲】、【請求項１】）
「【作用】検出手段Ｐ１、Ｐ２は非接触状態で信号生成部５からの検出信号を検出しており、従来の機械的エンコーダパターンのように機械的接点を有することなくモータの回転を検出することができる。また、信号生成部５からの検出信号の検出タイミングが互いに１位相以下だけずれるように複数の検出手段Ｐ１、Ｐ２を配置しているため、これら検出手段Ｐ１、Ｐ２からの出力は、その立ち下がり（信号非検出→検出）及び立ち上がり（信号検出→非検出）に注目すれば、モータ２の回転方向によって特有のパターンを有する。そこで、方向検出手段１は、検出手段Ｐ１、Ｐ２からの検出信号のタイミングのずれに基づいてレンズ鏡筒の駆動方向を検出する。」（【０００８】）
「図１において、１はＣＰＵ（中央演算素子）、２はレンズ鏡筒（図示略）の繰り出し、繰り込み駆動を行う正逆反転可能な鏡筒モータであり、この鏡筒モータ２は、ＣＰＵ１からの信号で正転（鏡筒繰り出し方向の回転）または逆転（鏡筒繰り込み方向の回転）の動作を行う。３はＣＰＵ１に電源を供給する電源である。また、ＳＷ１はズームスイッチであり、通常は中間点ｂに位置しているが、ズームスイッチＳＷ１がａ端子に接続されるとＣＰＵ１は鏡筒モータ２を正転させて鏡筒繰り出し駆動（ズームアップ駆動）を行い、一方、ズームスイッチＳＷ１がｃ端子に接続されるとＣＰＵ１は鏡筒モータを逆転させて鏡筒繰り込み駆動（ズームダウン駆動）を行う。
　Ｐ１、Ｐ２はともにフォトインタラプタであり、これらフォトインタラプタＰ１、Ｐ２はＣＰＵ１でその発光側の制御が行われるとともに、フォトインタラプタＰ１、Ｐ２の受光部の出力はＣＰＵ１に入力される。
　図２において、４は円板状の回転部材である。この回転部材４は、鏡筒モータ２の回転軸Ｃまたはこの軸Ｃからギヤを介した他の軸Ｃ′にその中心が装着されており、この軸Ｃ（Ｃ′）を中心として回転自在に支持されている。回転部材４の外周部分には、その周方向に等間隔をおいて複数のスリット５が形成されている。回転部材４およびこれに形成されたスリット５は、フォトインタラプタＰ１、Ｐ２の発光部および受光部間の空隙を通過するように配置されている。従って、回転部材４の回転に伴い、回転部材４のスリット５がフォトインタラプタＰ１、Ｐ２の発光部−受光部間を通過するごとに、このフォトインタラプタＰ１、Ｐ２の受光部には“Ｌ”レベルのパルスが受信される。特に、本実施例ではスリット５の幅とそれ以外の部分（つまり発光部からの光を遮る部分）６の幅とが略同一に形成されているので、回転部材４が等速で回転すると、受光部の出力は“Ｈ”レベルと“Ｌ”レベルの幅が略等しい鋸歯状の波形になる。
　また、本発明では、回転部材４の回転に伴うフォトインタラプタＰ１、Ｐ２の出力レベルの反転（“Ｈ”→“Ｌ”または“Ｌ”→“Ｈ”）のタイミングが双方で同一とならないように、つまり、それぞれのフォトインタラプタＰ１、Ｐ２におけるレベル反転が１位相以下だけ異なるようにその位置が調整されている。特に、本実施例では、各フォトインタラプタＰ１、Ｐ２の出力レベルが反転するタイミングは半位相だけ異なっている。なお、本実施例では、図示Ｘ方向に回転すると鏡筒が繰り出す方向に駆動し、図示Ｙ方向に回転すると鏡筒が繰り込む方向に駆動するものとする。
　図３は図２で示した回転部材４が回転したときのフォトインタラプタＰ１、Ｐ２の出力のタイミングチャートである。回転部材４がＸ方向に回転した場合は、フォトインタラプタＰ１、Ｐ２の出力は、パターンＡ→Ｂ→Ｃ→Ｄ→Ａ…の順に変化し、Ｙ方向に回転した場合は、Ａ→Ｄ→Ｃ→Ｂ→Ａ…の順に変化する。ここで、パターンＡはフォトインタラプタの出力がＰ１＝Ｈ，Ｐ２＝Ｈの場合であり、パターンＢはフォトインタラプタの出力がＰ１＝Ｌ，Ｐ２＝Ｈの場合であり、パターンＣはフォトインタラプタの出力がＰ１＝Ｌ，Ｐ２＝Ｌの場合であり、パターンＤはフォトインタラプタの出力がＰ１＝Ｈ，Ｐ２＝Ｌの場合である。
　次に、図４〜図１０のフローチャートを参照して、本実施例の作用について説明する。
（１）レンズ鏡筒駆動処理（図４）
　図４は鏡筒駆動処理のフローチャートである。ステップＳ１００で鏡筒駆動処理が開始されると、ステップＳ１０１でＣＰＵ１のメモリー内に記憶されている鏡筒カウントデータＡが読み出され、鏡筒が現在どの位置にあるのかが確認される。ステップＳ１０２ではフォトインタラプタＰ１、Ｐ２に電源が通電され、このフォトインタラプタの発光部側が駆動される。
　ステップＳ１０３ではフォトインタラプタの現状状態読み込み処理が、およびステップＳ１０４では鏡筒モータ２の駆動開始処理が行われる。ステップＳ１０５では鏡筒モータ２が駆動中であり、その駆動中におけるフォトインタラプタＰ１、Ｐ２の出力信号を読むことで鏡筒の駆動パルスを読み込む処理が行われる。ステップＳ１０６では鏡筒駆動スイッチ（図示略）の読み込み処理が行われる。
　ステップＳ１０７では駆動フラグがＨかどうかの判断が行われ、駆動フラグがＨであればプログラムはステップＳ１０５に戻り、駆動フラグがＬであればプログラムはステップＳ１０８に移行する。ステップＳ１０８では鏡筒モータ２の停止処理が行われ、ステップＳ１０９で鏡筒駆動処理が終了する。」（【００１１】〜【００１８】）
「なお、図５に示す処理では、フラグＦ１、Ｆ２はともに鏡筒モータ２駆動の前においてフォトインタラプタＰ１、Ｐ２の出力レベルがどの状態にあるかを示すフラグであるが、後述の図８、図９に示す鏡筒モータ２駆動時におけるこれらフラグＦ１、Ｆ２の値は、前回の鏡筒パルス読み取り時にフォトインタラプタＰ１、Ｐ２の出力レベルがどのように反転したかを示すフラグになる。具体的には、フラグの値が“Ｈ”であれば前回の読み取り時に出力レベルは“Ｌ”から“Ｈ”に反転したことを示し、“Ｌ”であれば前回の読み取り時に出力レベルは“Ｈ”から“Ｌ”に反転したことを示している。
　（３）鏡筒モータ駆動開始処理（図６）
　図６は鏡筒モータ駆動開始処理のフローチャートである。プログラムが図４のステップＳ１０４に至ると、図６に示す鏡筒モータ駆動開始処理のサブルーチンが開始される（ステップＳ３００）。まず、ステップＳ３０１ではズームスイッチＳＷ１の接続状態を示すフラグＺＳＷがａであるか、すなわちズームスイッチＳＷ１がａ端子に接続されているかどうかの判断がされ、ａ端子に接続されていればプログラムはステップＳ３０４に移行し、ａ端子に接続されていなければステップＳ３０２に移行する。」（【００２２】、【００２３】）
「ここで、図３を参照すると、前回の鏡筒パルス読み込み処理においてフォトインタラプタＰ２の出力レベルが“Ｌ”から“Ｈ”に反転しフォトインタラプタＰ２現状状態判定用フラグＦ２が“Ｈ”である時、フォトインタラプタＰ１の出力レベルが“Ｌ”から“Ｈ”に反転するのはパターンがＢ→Ａへと変化した場合以外あり得ない。従って、鏡筒モータ２は現時点でＹ方向に回転していることが判別できる。
　そこで、ステップＳ５０５では鏡筒カウントデータＡを１だけ減算し、ステップＳ５０６ではモータ駆動方向フラグを“Ｙ”にしてからステップＳ５１６へとプログラムが移行する。
　同様に、前回の鏡筒パルス読み込み処理においてフォトインタラプタＰ２の出力レベルが“Ｈ”から“Ｌ”に反転しフォトインタラプタＰ２現状状態判定用フラグＦ２が“Ｌ”である時、フォトインタラプタＰ１の出力レベルが“Ｌ”から“Ｈ”に反転するのはパターンがＣ→Ｄへと変化した場合以外あり得ない。従って、鏡筒モータ２は現時点でＸ方向に回転していることが判別できる。
　そこで、ステップＳ５０７では鏡筒カウントデータＡを１加算し、ステップＳ５０８ではモータ駆動方向フラグを“Ｘ”にしてからステップＳ５１６へとプログラムが移行する。
　一方、ステップＳ５０９ではフォトインタラプタＰ１現状状態判定用フラグＦ１が“Ｈ”であるかどうかの判断がされ、フラグＦ１が“Ｈ”であればプログラムはステップＳ５１０に移行し、“Ｈ”でない場合、すなわちフラグＦ１が“Ｌ”であればステップＳ５１６に移行する。
　プログラムがステップＳ５１０に移行したことで、前回の鏡筒パルス読み込み処理から今回の鏡筒パルス読み込み処理の間に、鏡筒モータ２が駆動されてフォトインタラプタＰ１の出力レベルが“Ｈ”から“Ｌ”に反転したことが判別された。そこで、ステップＳ５１０では、フラグＦ１を“Ｌ”にしてステップＳ５１１に移行する。
　ステップＳ５１１ではフォトインタラプタＰ２現状状態判定用フラグＦ２が“Ｈ”であるかどうかの判断がされ、フラグＦ２が“Ｈ”でない場合、すなわちフラグＦ２が“Ｌ”であればプログラムはステップＳ５１２に移行し、“Ｈ”であればステップＳ５１４に移行する。
　ここで、図３を参照すると、前回の鏡筒パルス読み込み処理においてフォトインタラプタＰ２の出力レベルが“Ｈ”から“Ｌ”に反転しフォトインタラプタＰ２現状状態判定用フラグＦ２が“Ｌ”である時、フォトインタラプタＰ１の出力レベルが“Ｈ”から“Ｌ”に反転するのはパターンがＤ→Ｃへと変化した場合以外あり得ない。従って、鏡筒モータ２は現時点でＹ方向に回転していることが判別できる。
　そこで、ステップＳ５１２では鏡筒カウントデータＡを１だけ減算し、ステップＳ５１３ではモータ駆動方向フラグを“Ｙ”にしてからステップＳ５１６へとプログラムが移行する。
　同様に、前回の鏡筒パルス読み込み処理においてフォトインタラプタＰ２の出力レベルが“Ｌ”から“Ｈ”に反転しフォトインタラプタＰ２現状状態判定用フラグＦ２が“Ｈ”である時、フォトインタラプタＰ１の出力レベルが“Ｈ”から“Ｌ”に反転するのはパターンがＡ→Ｂへと変化した場合以外あり得ない。従って、鏡筒モータ２は現時点でＸ方向に回転していることが判別できる。
　そこで、ステップＳ５１４では鏡筒カウントデータＡを１加算し、ステップＳ５１５ではモータ駆動方向フラグを“Ｘ”にしてからステップＳ５１６へとプログラムが移行する。」（【００３５】〜【００４５】）
「ステップＳ６１１では鏡筒モータ２のブレーキ制御信号がオフされ、次にステップＳ６１２では鏡筒が現在どの位置にあるのかを示している鏡筒カウントデータＡがＣＰＵ１のメモリー内に記憶される。プログラムがステップＳ６１３まで進行すると、図４に示すメインフローチャートに戻る。従って、本実施例によれば、２つのフォトインタラプタＰ１、Ｐ２の検出したパルスのずれによってレンズ鏡筒の駆動方向を判別し、これに基づいてレンズ鏡筒の駆動制御を行うことができる。特に、本実施例は電気的パルス数で鏡筒位置を検出しているので、機械的スイッチを用いたエンコーダ位置検出装置よりもズームゾーン数を多くすることができ、そのことでよりよい写真が得られることができる効果がある。」（【００６３】〜【００６５】）
　
３．対比　
　そこで、本願発明と前記引用例１に記載されたものとを対比すると、引用例１に記載された「手動操作部材（回転操作部材９）」、「レンズ駆動用モータにより」、「操作量に応じたパルス信号が入力される操作量検出手段」、「レンズ駆動用モータの回転に伴って」、「パルスが発生」及び「レンズ移動パルス発生手段」は、それぞれ本願発明の「手動焦点調節部材」、「モータ駆動により」、「操作量を検出する距離設定手段」、「モータの駆動に伴い」、「パルスを出力」及び「パルス出力手段」に相当する。また、引用例１に記載されたものは手動操作部材を操作して手動焦点調節する際、手動操作部材の操作量に応じてレンズが駆動されるのであるから、手動焦点調節の際、手動焦点調節部材の動きにレンズ動作を追従させることにより手動焦点調節部材操作時にレンズの移動を行っていると言え、引用例１に記載されたものは、パルスをカウントしてレンズ位置を制御しているからレンズ位置制御装置と言える。そうすると、両者は、
「手動焦点調節部材を有し、モータ駆動によりレンズを駆動して焦点調節を行うカメラにおいて、前記手動焦点調節部材の操作量を検出する距離設定手段と、前記モータの駆動に伴いパルスを出力するパルス出力手段と、手動焦点調節の際、前記手動焦点調節部材の動きにレンズ動作を追従させることにより手動焦点調節部材操作時にレンズの移動を行い、レンズ位置を制御することを特徴とするレンズ位置制御装置。」の点で一致し、
（１）手動焦点調節部材の操作量を検出する距離設定手段が、本願発明では、手動焦点調節部材の操作に対し可変抵抗の抵抗値が変動し、その出力をＡ／Ｄ入力に電圧入力することにより操作量を検出するのに対し、引用例１に記載されたものにはそのような記載がない点（以下、「相違点１」という。）、
（２）モータの駆動に伴いパルスを出力するパルス出力手段が、本願発明では、モータの駆動に伴い第１および第２のパルスを出力し、前記第１の出力パルスは第２の出力パルスに対し、前記モータの駆動方向の正転または逆転によってそれぞれ＋９０°または−９０°の位相差を有する２組のパルス出力手段を有し、前記２相パルス出力手段が出力する第１のパルスがハイレベルからローレベルに変化したとき、前記第２のパルスがローレベルであるか、第１のパルスがローレベルからハイレベルに変化したとき、第２のパルスがハイレベルである場合、カウントアップし、前記第１のパルスがハイレベルからローレベルに変化したとき、前記第２のパルスがハイレベルであるか、第１パルスがローレベルからハイレベルに変化したとき、第２パルスがローレベルである場合、カウントダウンし、前記カウントアップダウンの値によりレンズ位置を検出し、レンズ駆動を制御する制御手段とからなるのに対し、引用例１に記載されたものにはそのような記載がない点（以下、「相違点２」という。）、
（３）本願発明では、焦点調節レンズの無限端または至近端の位置を示す初期位置検出手段を有し、初期位置検出手段で示される無限端または至近端の位置からカウントを開始するのに対し、引用例１に記載されたものにはそのような記載がない点（以下、「相違点３」という。）
（４）本願発明では、メインスイッチオンの間はレンズを初期位置に戻すことなくレンズ位置を制御するのに対し、引用例１に記載されたものにはそのような記載がない点（以下、「相違点４」という。）で両者は相違している。
　
４．当審の判断　
　そこで上記相違点について検討する。
　まず、相違点１について検討すると、手動焦点調節部材の操作量を検出する距離設定手段として、手動焦点調節部材の操作に対し可変抵抗の抵抗値が変動し、その出力をＡ／Ｄ入力に電圧入力することにより操作量を検出するものを用いることは周知の事項であり（特開平１−９４３１１号公報、特開昭６４−４８０１２号公報参照）引用例１に記載された手動焦点調節部材に代えて該周知の手動焦点調節部材を採用することは当業者であれば容易になし得ることである。
　次に、相違点２について検討すると、引用例２には「鏡筒モータの駆動に伴い２つのフォトインタラプタＰ１、Ｐ２の出力信号から鏡筒パルスを読み込み、フォトインタラプタＰ１、Ｐ２の出力レベルが反転するタイミングは半位相だけ異なっており、Ｐ１の出力レベルが“Ｈ”から“Ｌ”に反転したとき、Ｐ２の出力レベルが“Ｌ”であるか、Ｐ１の出力レベルが“Ｌ”から“Ｈ”に反転したとき、Ｐ２の出力レベルが“Ｈ”である場合、鏡筒カウントデータＡを１減算し、Ｐ１の出力レベルが“Ｈ”から“Ｌ”に反転したとき、Ｐ２の出力レベルが“Ｈ”であるか、Ｐ１の出力レベルが“Ｌ”から“Ｈ”に反転したとき、Ｐ２の出力レベルが“Ｌ”である場合、鏡筒カウントデータＡを１加算し、鏡筒カウントデータＡにより鏡筒位置を検出し、レンズ鏡筒の駆動制御を行うこと」が記載されており、引用例２に記載された「鏡筒モータ」、「２つのフォトインタラプタＰ１、Ｐ２」、「２つのフォトインタラプタＰ１、Ｐ２の出力信号から鏡筒パルスを読み込み」、「フォトインタラプタＰ１、Ｐ２の出力レベルが反転するタイミングは半位相だけ異なっており」、「Ｐ１の出力レベル」、「“Ｈ”」、「“Ｌ”」、「反転」、「Ｐ２の出力レベル」、「鏡筒カウントデータＡを１減算」、「鏡筒カウントデータＡを１加算」、「鏡筒カウントデータＡ」、「鏡筒位置」及び「レンズ鏡筒の駆動制御を行う」はそれぞれ本願発明の「モータ」、「２組のパルス出力手段」、「第１および第２のパルスを出力」、「第１の出力パルスは第２の出力パルスに対し、前記モータの駆動方向の正転または逆転によってそれぞれ＋９０°または−９０°の位相差を有する」、「第１のパルス」、「ハイレベル」、「ローレベル」、「変化」、「第２のパルス」、「カウントダウン」、「カウントアップ」、「カウントアップダウンの値」、「レンズ位置」及び「レンズ駆動を制御する制御手段」に相当する。そうすると引用例２にはカウントアップする場合とカウントダウンする場合が本願のものとは逆になっているものの実質的に相違点２の構成と同一の構成が記載されており、引用例２に記載されたものはズームレンズの駆動制御に用いられているものではあるが、これを焦点調節レンズの駆動制御に用いることを阻害する要因も見当たらないので、引用例２に記載された構成を引用例１に記載されたものの構成として採用することは当業者であれば容易になし得ることである。
　次に、相違点３について検討すると、引用例２にはメインスイッチオン時の初期位置検出については特に記載されていない。しかし、引用例２には鏡筒駆動処理の開始時にメモリー内に記憶されている鏡筒カウントデータＡを読み出して鏡筒が現在どの位置にあるのかを確認することが記載されているので、メインスイッチオン時の最初に鏡筒駆動処理を開始する時にも当然鏡筒の位置を確認しているものと認められる。そうすると、メインスイッチオン時に何等かの初期位置検出を行うことは実質的に引用例２に記載されていると言える。そして、その初期位置検出時に検出される位置を無限端または至近端の位置とすることは単なる設計事項にすぎない。したがって、相違点３の構成とすることは引用例２に記載されたものから当業者が容易になし得ることである。
　次に、相違点４について検討すると、上述したように引用例２に記載されたものは鏡筒駆動処理の開始時にメモリー内に記憶されている鏡筒カウントデータＡを読み出して鏡筒が現在どの位置にあるのかを確認しているのであるから、少なくともメインスイッチオンの間はレンズを初期位置に戻すことなくレンズ位置を制御することは引用例２に実質的に記載されているものと認められる。したがって、相違点４の構成とすることは引用例２に記載されたものから当業者が容易になし得ることである。
　また、本願発明の効果についても各引用例の記載から予測される程度のものにすぎない。
　
５．むすび　
　したがって、本願発明は、引用例１、２に記載された発明および周知技術に基づいて当業者が容易に発明をすることができたものであるので、特許法第２９条第２項の規定により特許を受けることができない。　
　よって、結論のとおり審決する。